(57)【特許請求の範囲】
【請求項１】
以下の要素を有することを特徴とするアフィリエイト広告の引用システム
（１）記事書込み者のユーザ端末からユーザ識別情報とともに書込み記事を受け付ける記事書込み部
（２）書込み記事識別情報に対応付けて前記ユーザ識別情報と前記書込み記事を記憶するとともに、書込み記事の階層構造を記憶する記事データ記憶部
（３）商品等提供者の端末から、アフィリエイト広告の対象となる商品等の商品等指定情報と、前記商品等のアフィリエイト報酬額または報酬率と、アフィリエイト広告の引用許否を示す第１引用許否情報とを受け付け、アフィリエイト広告識別情報に対応付けて前記商品等指定情報と前記アフィリエイト報酬額または報酬率と前記第１引用許否情報とをアフィリエイトデータベースに記憶させるアフィリエイト設定受付部
（４）アフィリエイタのユーザ端末から、アフィリエイト広告を行う書込み記事を指定する記事指定情報と、前記アフィリエイト設定受付部で受け付けた商品等指定情報の中から選択された紹介商品等指定情報と、当該書込み記事が引用された場合にアフィリエイト広告の引用許否を示す第２引用許否情報とを受け付け、前記記事指定情報と前記紹介商品等指定情報と前記第２引用許否情報とを前記アフィリエイトデータベースに記憶させるアフィリエイト広告受付部
（５）前記アフィリエイト広告受付部で受け付けた記事指定情報に対応するユーザ識別情報を特定し、当該ユーザ識別情報と前記アフィリエイト広告受付部で受け付けた前記紹介商品等指定情報とを含むアフィリエイト広告要素を生成し、前記記事指定情報に基いて前記記事データ記憶部に記憶している書込み記事を特定して当該書込み記事に当該アフィリエイト広告要素を設定する第１アフィリエイト広告要素生成部
（６）階層構造において上位となる上位書込み記事を引用した、階層構造において下位となる下位書込み記事を受け付け、且つ当該上位書込み記事にアフィリエイト広告要素が設定されている場合、前記アフィリエイトデータベースに記憶する前記第１引用許否情報および前記第２引用許否情報を参照してアフィリエイト広告の引用が許可されているときには、前記記事データ記憶部から前記下位書込み記事のユーザ識別情報を特定し、当該下位書込み記事のユーザ識別情報と前記上位書込み記事のユーザ識別情報と前記上位書込み記事に設定されたアフィリエイト広告要素に含まれる紹介商品等指定情報とを含むアフィリエイト広告要素を生成し、前記下位書込み記事の記事指定情報に基いて前記記事データ記憶部に記憶している当該下位書込み記事を特定して当該下位書込み記事に当該アフィリエイト広告要素を設定する第２アフィリエイト広告要素生成部
（７）１または２以上の前記書込み記事と、当該書込み記事に対応してアフィリエイト広告要素が存在する場合には当該書込み記事とともにアフィリエイト広告要素をユーザ端末に送信する記事画面送信部。
【請求項２】
前記アフィリエイト設定受付部は、商品等提供者の端末から、引用許否を示す第１引用許否情報に加えて、前記下位書込み記事にアフィリエイト広告が設定された場合における報酬額を受け付けて当該報酬額を前記アフィリエイトデータベースに記憶させ、
前記第２アフィリエイト広告要素生成部は、前記アフィリエイトデータベースを参照して、前記アフィリエイト設定受付部で受け付けた報酬額の範囲内で前記下位書込み記事に前記アフィリエイト広告要素を生成する、請求項１記載のアフィリエイト広告の引用システム。
【請求項３】
前記アフィリエイト設定受付部は、商品等提供者の端末から、引用許否を示す第１引用許否情報に加えて、前記下位書込み記事にアフィリエイト広告が設定された場合における報酬額と報酬額上限値を受け付けて当該報酬額と報酬額上限値を前記アフィリエイトデータベースに記憶させ、
前記第２アフィリエイト広告要素生成部は、前記アフィリエイトデータベースを参照して、前記アフィリエイト設定受付部で受け付けた報酬額および上限値の範囲内で前記下位書込み記事に前記アフィリエイト広告要素を生成する、請求項１記載のアフィリエイト広告の引用システム。
【請求項４】
前記第１アフィリエイト広告要素生成部はユーザ識別情報を引数で生成し、アフィリエイト広告要素が設定された上位書込み記事を引用した下位書込み記事を受け付けた場合、前記第２アフィリエイト広告要素生成部は前記上位書込み記事に設定されたアフィリエイト広告要素に含まれるユーザ識別情報を更新してユーザ識別情報を引数で生成することを特徴とする、請求項１記載のアフィリエイト広告の引用システム。
【請求項５】
前記アフィリエイトデータベースがアフィリエイト広告識別情報に対応付けて前記ユーザ識別情報の引数を記憶し、
アフィリエイト広告要素がクリックされた場合、クリックしたユーザ端末に、アフィリエイト広告識別情報、前記紹介商品等指定情報および前記ユーザ識別情報の引数を含むクッキー情報を送信するクッキー送信部を備え、
当該クッキー情報を記憶するユーザ端末において商取引サイトで商取引が成立した場合、当該商取引サイトからアフィリエイト広告識別情報、または、前記商品等指定情報および前記引数を受け付け、前記アフィリエイトデータベースを参照して前記引数に対応するユーザ識別情報を特定し、当該ユーザ識別情報に対応付けて報酬を付与することを特徴とする、請求項４記載のアフィリエイト広告の引用システム。
【請求項６】
前記第２アフィリエイト広告要素生成部は、前記上位書込み記事と前記下位書込み記事とが全部一致する場合には前記アフィリエイト広告要素を設定しないことを特徴とする、請求項１から５のいずれか１項記載のアフィリエイト広告の引用システム。
【請求項７】
以下の要素を有することを特徴とするアフィリエイト広告の引用方法
（１）記事書込み者のユーザ端末からユーザ識別情報とともに書込み記事を受け付け記事書込みステップ
（２）記事データ記憶部に、書込み記事識別情報に対応付けて前記ユーザ識別情報と前記書込み記事を記憶するとともに、書込み記事の階層構造を記憶するステップ
（３）商品等提供者の端末から、アフィリエイト広告の対象となる商品等の商品等指定情報と、前記商品等のアフィリエイト報酬額または報酬率と、アフィリエイト広告の引用許否を示す第１引用許否情報とを受け付け、アフィリエイト広告識別情報に対応付けて前記商品等指定情報と前記アフィリエイト報酬額または報酬率と前記第１引用許否情報とをアフィリエイトデータベースに記憶させるアフィリエイト設定ステップ
（４）アフィリエイタのユーザ端末から、アフィリエイト広告を行う書込み記事を指定する記事指定情報と、前記アフィリエイト設定ステップで受け付けた商品等指定情報の中から選択された紹介商品等指定情報と、当該書込み記事が引用された場合にアフィリエイト広告の引用許否を示す第２引用許否情報とを受け付け、前記記事指定情報と前記紹介商品等指定情報と前記第２引用許否情報とを前記アフィリエイトデータベースに記憶させるアフィリエイト広告受付ステップ
（５）前記アフィリエイト広告受付ステップで受け付けた記事指定情報に対応するユーザ識別情報を特定し、当該ユーザ識別情報と前記アフィリエイト広告受付ステップで受け付けた前記紹介商品等指定情報とを含むアフィリエイト広告要素を生成し、前記記事指定情報に基いて前記記事データ記憶部に記憶している書込み記事を特定して当該書込み記事に当該アフィリエイト広告要素を設定する第１アフィリエイト広告要素生成ステップ
（６）階層構造において上位となる上位書込み記事を引用した、階層構造において下位となる下位書込み記事を受け付け、且つ当該上位書込み記事にアフィリエイト広告要素が設定されている場合、前記アフィリエイトデータベースに記憶する前記第１引用許否情報および前記第２引用許否情報を参照してアフィリエイト広告の引用が許可されているときには、前記記事データ記憶部から前記下位書込み記事のユーザ識別情報を特定し、当該下位書込み記事のユーザ識別情報と前記上位書込み記事のユーザ識別情報と前記上位書込み記事に設定されたアフィリエイト広告要素に含まれる紹介商品等指定情報とを含むアフィリエイト広告要素を生成し、前記下位書込み記事の記事指定情報に基いて前記記事データ記憶部に記憶している当該下位書込み記事を特定して当該下位書込み記事に当該アフィリエイト広告要素を設定する第２アフィリエイト広告要素生成ステップ
（７）１または２以上の前記書込み記事と、当該書込み記事に対応してアフィリエイト広告要素が存在する場合には当該書込み記事とともにアフィリエイト広告要素をユーザ端末に送信する記事画面送信ステップ。
【請求項８】
アフィリエイト広告の引用システムとなるコンピュータに、以下の手順を実行させるためのプログラム
（１）記事書込み者のユーザ端末からユーザ識別情報とともに書込み記事を受け付け記事書込みステップ
（２）記事データ記憶部に、書込み記事識別情報に対応付けて前記ユーザ識別情報と前記書込み記事を記憶するとともに、書込み記事の階層構造を記憶するステップ
（３）商品等提供者の端末から、アフィリエイト広告の対象となる商品等の商品等指定情報と、前記商品等のアフィリエイト報酬額または報酬率と、アフィリエイト広告の引用許否を示す第１引用許否情報とを受け付け、アフィリエイト広告識別情報に対応付けて前記商品等指定情報と前記アフィリエイト報酬額または報酬率と前記第１引用許否情報とをアフィリエイトデータベースに記憶させるアフィリエイト設定ステップ
（４）アフィリエイタのユーザ端末から、アフィリエイト広告を行う書込み記事を指定する記事指定情報と、前記アフィリエイト設定ステップで受け付けた商品等指定情報の中から選択された紹介商品等指定情報と、当該書込み記事が引用された場合にアフィリエイト広告の引用許否を示す第２引用許否情報とを受け付け、前記記事指定情報と前記紹介商品等指定情報と前記第２引用許否情報とを前記アフィリエイトデータベースに記憶させるアフィリエイト広告受付ステップ
（５）前記アフィリエイト広告受付ステップで受け付けた記事指定情報に対応するユーザ識別情報を特定し、当該ユーザ識別情報と前記アフィリエイト広告受付ステップで受け付けた前記紹介商品等指定情報とを含むアフィリエイト広告要素を生成し、前記記事指定情報に基いて前記記事データ記憶部に記憶している書込み記事を特定して当該書込み記事に当該アフィリエイト広告要素を設定する第１アフィリエイト広告要素生成ステップ
（６）階層構造において上位となる上位書込み記事を引用した、階層構造において下位となる下位書込み記事を受け付け、且つ当該上位書込み記事にアフィリエイト広告要素が設定されている場合、前記アフィリエイトデータベースに記憶する前記第１引用許否情報および前記第２引用許否情報を参照してアフィリエイト広告の引用が許可されているときには、前記記事データ記憶部から前記下位書込み記事のユーザ識別情報を特定し、当該下位書込み記事のユーザ識別情報と前記上位書込み記事のユーザ識別情報と前記上位書込み記事に設定されたアフィリエイト広告要素に含まれる紹介商品等指定情報とを含むアフィリエイト広告要素を生成し、前記下位書込み記事の記事指定情報に基いて前記記事データ記憶部に記憶している当該下位書込み記事を特定して当該下位書込み記事に当該アフィリエイト広告要素を設定する第２アフィリエイト広告要素生成ステップ。
（７）１または２以上の前記書込み記事と、当該書込み記事に対応してアフィリエイト広告要素が存在する場合には当該書込み記事とともにアフィリエイト広告要素をユーザ端末に送信する記事画面送信ステップ。
【請求項９】
アフィリエイト広告の引用システムとなるコンピュータに、以下の手順を実行させるためのプログラムを記録したコンピュータ読み取り可能な記録媒体
（１）記事書込み者のユーザ端末からユーザ識別情報とともに書込み記事を受け付け記事書込みステップ
（２）記事データ記憶部に、書込み記事識別情報に対応付けて前記ユーザ識別情報と前記書込み記事を記憶するとともに、書込み記事の階層構造を記憶するステップ
（３）商品等提供者の端末から、アフィリエイト広告の対象となる商品等の商品等指定情報と、前記商品等のアフィリエイト報酬額または報酬率と、アフィリエイト広告の引用許否を示す第１引用許否情報とを受け付け、アフィリエイト広告識別情報に対応付けて前記商品等指定情報と前記アフィリエイト報酬額または報酬率と前記第１引用許否情報とをアフィリエイトデータベースに記憶させるアフィリエイト設定ステップ
（４）アフィリエイタのユーザ端末から、アフィリエイト広告を行う書込み記事を指定する記事指定情報と、前記アフィリエイト設定ステップで受け付けた商品等指定情報の中から選択された紹介商品等指定情報と、当該書込み記事が引用された場合にアフィリエイト広告の引用許否を示す第２引用許否情報とを受け付け、前記記事指定情報と前記紹介商品等指定情報と前記第２引用許否情報とを前記アフィリエイトデータベースに記憶させるアフィリエイト広告受付ステップ
（５）前記アフィリエイト広告受付ステップで受け付けた記事指定情報に対応するユーザ識別情報を特定し、当該ユーザ識別情報と前記アフィリエイト広告受付ステップで受け付けた前記紹介商品等指定情報とを含むアフィリエイト広告要素を生成し、前記記事指定情報に基いて前記記事データ記憶部に記憶している書込み記事を特定して当該書込み記事に当該アフィリエイト広告要素を設定する第１アフィリエイト広告要素生成ステップ
（６）階層構造において上位となる上位書込み記事を引用した、階層構造において下位となる下位書込み記事を受け付け、且つ当該上位書込み記事にアフィリエイト広告要素が設定されている場合、前記アフィリエイトデータベースに記憶する前記第１引用許否情報および前記第２引用許否情報を参照してアフィリエイト広告の引用が許可されているときには、前記記事データ記憶部から前記下位書込み記事のユーザ識別情報を特定し、当該下位書込み記事のユーザ識別情報と前記上位書込み記事のユーザ識別情報と前記上位書込み記事に設定されたアフィリエイト広告要素に含まれる紹介商品等指定情報とを含むアフィリエイト広告要素を生成し、前記下位書込み記事の記事指定情報に基いて前記記事データ記憶部に記憶している当該下位書込み記事を特定して当該下位書込み記事に当該アフィリエイト広告要素を設定する第２アフィリエイト広告要素生成ステップ
（７）１または２以上の前記書込み記事と、当該書込み記事に対応してアフィリエイト広告要素が存在する場合には当該書込み記事とともにアフィリエイト広告要素をユーザ端末に送信する記事画面送信ステップ。
【発明の詳細な説明】
【技術分野】
【０００１】
本発明は、階層構造で管理される書込み記事を広告媒体とし、アフィリエイト広告が設定された書込み記事を引用する書込み記事にもアフィリエイト広告が設定される広告の引用システムに関する。
【０００２】
本発明は、また、アフィリエイト広告が引用された書込み記事を介して商取引が成立した場合、最初にアフィリエイト広告を設定した者以外の者にも所定の割合で成功報酬を自動的に分配するシステムに関する。
【背景技術】
【０００３】
クチコミ等のＣＧＭでは、１つの商品やサービス（以下、「商品等」という。）に対する印象、意見、付加情報などの書込みが行われる。ＣＧＭを運営するサービス提供者側では、これらの書込みを記憶し、その書込みおよび書込み群をユーザに対し提供している。ＣＧＭの例としては、ＥＣサイトのクチコミ、ブログ、簡易ブログなどがある。書込みは、最初の書込み（第１世代）で終端を迎えるものや、最初の書込みが起源となって他の書込み（第２世代、第３世代・第Ｎ世代）が連なるものがある。第１世代の書込みから第Ｎ世代の書込みが連なると、これらの書込みは階層構造（ツリー構造）を形成する。
【０００４】
現在、アフィリエイト・プログラムと呼ばれる成功報酬型の広告形態が一般化している。特許文献１「アフィリエイトサービス提供システム」には、一般的なアフィリエイトシステムが開示されている。この文献記載のように、いわゆるアフィリエイトとは、インターネットのＷＥＢ上における広告形態の一つである。広告媒体のウェブサイトに設置された広告によってウェブサイトの閲覧者が広告主の商品を購入あるいはサービスを利用した場合に、その売上による利益に応じて広告媒体を運営する者に成功報酬を与える仕組みである。多くは個人のブログが広告媒体となり、ブログからリンクによって広告主の商品画面へ閲覧者を誘導する形態を採っている。
【先行技術文献】
【特許文献】
【０００５】
【特許文献１】特開２００７−１９３６１３号公報
【発明の概要】
【発明が解決しようとする課題】
【０００６】
広告主の商品やサービスを個人のブログ等によって単独で紹介するには限界がある。ＣＧＭのように、多くのユーザが集まるサイトで広告を行うことが好ましい。さらに、個人の意見や紹介文に加えて複数人の意見や感想を加えたり、個人の意見や紹介文に修正を加えたりするＣＧＭを利用した方が、情報の真実性を高め、閲覧者に対して商品やサービスを多角的に把握させやすいという広告上の利点もある。当初の書込みの広告的価値や閲覧者への訴求力は、他人による書込みによって、拡大することもあるし、縮小することもあるからである。
【０００７】
しかし、現在のアフィリエイト広告の仕組みは、アフィリエイト広告を設定した者が受領することしか考慮されていない。階層構造を持つＣＧＭにおいて、アフィリエイト広告を設定した書込み者だけでなく、一定の条件を満たした場合、その書込みを引用した下位の書込み者にも報酬を分配することができれば、ＣＧＭの利用者はバイラル的に拡大することが予想される。
【０００８】
本発明の目的は、階層構造で管理される上位の書込み記事を引用して書込みを投稿すると、階層構造をトレースおよび分析して、一定の条件下で下位の書込みにもアフィリエイト広告を設定するアフィリエイト広告の引用システムを提供することである。
【０００９】
本発明の他の目的は、アフィリエイトを設定した書込み者と書込みを引用した者との間で、成功報酬を所定の比率で分配することができるアフィリエイト広告の引用システムを提供することである。
【課題を解決するための手段】
【００１０】
本願発明に係るアフィリエイト広告の引用システムは、以下の要素を有することを特徴とする
（１）記事書込み者のユーザ端末からユーザ識別情報とともに書込み記事を受け付ける記事書込み部
（２）書込み記事識別情報に対応付けて前記ユーザ識別情報と前記書込み記事を記憶するとともに、書込み記事の階層構造を記憶する記事データ記憶部
（３）商品等提供者の端末から、アフィリエイト広告の対象となる商品等の商品等指定情報と、前記商品等のアフィリエイト報酬額または報酬率と、アフィリエイト広告の引用許否を示す第１引用許否情報とを受け付け、アフィリエイト広告識別情報に対応付けて前記商品等指定情報と前記アフィリエイト報酬額または報酬率と前記第１引用許否情報とをアフィリエイトデータベースに記憶させるアフィリエイト設定受付部
（４）アフィリエイタのユーザ端末から、アフィリエイト広告を行う書込み記事を指定する記事指定情報と、前記アフィリエイト設定受付部で受け付けた商品等指定情報の中から選択された紹介商品等指定情報と、当該書込み記事が引用された場合にアフィリエイト広告の引用許否を示す第２引用許否情報とを受け付け、前記記事指定情報と前記紹介商品等指定情報と前記第２引用許否情報とを前記アフィリエイトデータベースに記憶させるアフィリエイト広告受付部
（５）前記アフィリエイト広告受付部で受け付けた記事指定情報に対応するユーザ識別情報を特定し、当該ユーザ識別情報と前記アフィリエイト広告受付部で受け付けた前記紹介商品等指定情報とを含むアフィリエイト広告要素を生成し、前記記事指定情報に基いて前記記事データ記憶部に記憶している書込み記事を特定して当該書込み記事に当該アフィリエイト広告要素を設定する第１アフィリエイト広告要素生成部
（６）階層構造において上位となる上位書込み記事を引用した、階層構造において下位となる下位書込み記事を受け付け、且つ当該上位書込み記事にアフィリエイト広告要素が設定されている場合、前記アフィリエイトデータベースに記憶する前記第１引用許否情報および前記第２引用許否情報を参照してアフィリエイト広告の引用が許可されているときには、前記記事データ記憶部から前記下位書込み記事のユーザ識別情報を特定し、当該下位書込み記事のユーザ識別情報と前記上位書込み記事のユーザ識別情報と前記上位書込み記事に設定されたアフィリエイト広告要素に含まれる紹介商品等指定情報とを含むアフィリエイト広告要素を生成し、前記下位書込み記事の記事指定情報に基いて前記記事データ記憶部に記憶している当該下位書込み記事を特定して当該下位書込み記事に当該アフィリエイト広告要素を設定する第２アフィリエイト広告要素生成部
（７）１または２以上の前記書込み記事と、当該書込み記事に対応してアフィリエイト広告要素が存在する場合には当該書込み記事とともにアフィリエイト広告要素をユーザ端末に送信する記事画面送信部。
【００１１】
また、前記アフィリエイト設定受付部は、商品等提供者の端末から、引用許否を示す第１引用許否情報に加えて、前記下位書込み記事にアフィリエイト広告が設定された場合における報酬額を受け付けて当該報酬額を前記アフィリエイトデータベースに記憶させ、前記第２アフィリエイト広告要素生成部は、前記アフィリエイトデータベースを参照して、前記アフィリエイト設定受付部で受け付けた報酬額の範囲内で前記下位書込み記事に前記アフィリエイト広告要素を生成することを特徴とする。
【００１２】
また、前記アフィリエイト設定受付部は、商品等提供者の端末から、引用許否を示す第１引用許否情報に加えて、前記下位書込み記事にアフィリエイト広告が設定された場合
における報酬額と報酬額上限値を受け付けて当該報酬額と報酬額上限値を前記アフィリエイトデータベースに記憶させ、前記第２アフィリエイト広告要素生成部は、前記アフィリエイトデータベースを参照して、前記アフィリエイト設定受付部で受け付けた報酬額および上限値の範囲内で前記下位書込み記事に前記アフィリエイト広告要素を生成することを特徴とする。
【００１３】
また、前記第１アフィリエイト広告要素生成部はユーザ識別情報を引数で生成し、アフィリエイト広告要素が設定された上位書込み記事を引用した下位書込み記事を受け付けた場合、前記第２アフィリエイト広告要素生成部は前記上位書込み記事に設定されたアフィリエイト広告要素に含まれるユーザ識別情報を更新してユーザ識別情報を引数で生成することを特徴とする。
【００１４】
また、前記アフィリエイトデータベースがアフィリエイト広告識別情報に対応付けて前記ユーザ識別情報の引数を記憶し、
アフィリエイト広告要素がクリックされた場合、クリックしたユーザ端末に、アフィリエイト広告識別情報、前記紹介商品等指定情報および前記ユーザ識別情報の引数を含むクッキー情報を送信するクッキー送信部を備え、
当該クッキー情報を記憶するユーザ端末において商取引サイトで商取引が成立した場合、当該商取引サイトからアフィリエイト広告識別情報、または、前記商品等指定情報および前記引数を受け付け、前記アフィリエイトデータベースを参照して前記引数に対応するユーザ識別情報を特定し、当該ユーザ識別情報に対応付けて報酬を付与することを特徴とする。
また、前記第２アフィリエイト広告要素生成部は、前記上位書込み記事と前記下位書込み記事とが全部一致する場合には前記アフィリエイト広告要素を設定しないことを特徴とする。
【００１５】
本願発明に係るアフィリエイト広告の引用方法は、
（１）記事書込み者のユーザ端末からユーザ識別情報とともに書込み記事を受け付け記事書込みステップ
（２）記事データ記憶部に、書込み記事識別情報に対応付けて前記ユーザ識別情報と前記書込み記事を記憶するとともに、書込み記事の階層構造を記憶するステップ
（３）商品等提供者の端末から、アフィリエイト広告の対象となる商品等の商品等指定情報と、前記商品等のアフィリエイト報酬額または報酬率と、アフィリエイト広告の引用許否を示す第１引用許否情報とを受け付け、アフィリエイト広告識別情報に対応付けて前記商品等指定情報と前記アフィリエイト報酬額または報酬率と前記第１引用許否情報とをアフィリエイトデータベースに記憶させるアフィリエイト設定ステップ
（４）アフィリエイタのユーザ端末から、アフィリエイト広告を行う書込み記事を指定する記事指定情報と、前記アフィリエイト設定ステップで受け付けた商品等指定情報の中から選択された紹介商品等指定情報と、当該書込み記事が引用された場合にアフィリエイト広告の引用許否を示す第２引用許否情報とを受け付け、前記記事指定情報と前記紹介商品等指定情報と前記第２引用許否情報とを前記アフィリエイトデータベースに記憶させるアフィリエイト広告受付ステップ
（５）前記アフィリエイト広告受付ステップで受け付けた記事指定情報に対応するユーザ識別情報を特定し、当該ユーザ識別情報と前記アフィリエイト広告受付ステップで受け付けた前記紹介商品等指定情報とを含むアフィリエイト広告要素を生成し、前記記事指定情報に基いて前記記事データ記憶部に記憶している書込み記事を特定して当該書込み記事に当該アフィリエイト広告要素を設定する第１アフィリエイト広告要素生成ステップ
（６）階層構造において上位となる上位書込み記事を引用した、階層構造において下位となる下位書込み記事を受け付け、且つ当該上位書込み記事にアフィリエイト広告要素が設定されている場合、前記アフィリエイトデータベースに記憶する前記第１引用許否情報および前記第２引用許否情報を参照してアフィリエイト広告の引用が許可されているときには、前記記事データ記憶部から前記下位書込み記事のユーザ識別情報を特定し、当該下位書込み記事のユーザ識別情報と前記上位書込み記事のユーザ識別情報と前記上位書込み記事に設定されたアフィリエイト広告要素に含まれる紹介商品等指定情報とを含むアフィリエイト広告要素を生成し、前記下位書込み記事の記事指定情報に基いて前記記事データ記憶部に記憶している当該下位書込み記事を特定して当該下位書込み記事に当該アフィリエイト広告要素を設定する第２アフィリエイト広告要素生成ステップ
（７）１または２以上の前記書込み記事と、当該書込み記事に対応してアフィリエイト広告要素が存在する場合には当該書込み記事とともにアフィリエイト広告要素をユーザ端末に送信する記事画面送信ステップ
を備えてなる。
【００１６】
本発明において、アフィリエイト広告の引用システムとなるコンピュータに、以下の手順を実行させるためのプログラムは、
（１）記事書込み者のユーザ端末からユーザ識別情報とともに書込み記事を受け付け記事書込みステップ
（２）記事データ記憶部に、書込み記事識別情報に対応付けて前記ユーザ識別情報と前記書込み記事を記憶するとともに、書込み記事の階層構造を記憶するステップ
（３）商品等提供者の端末から、アフィリエイト広告の対象となる商品等の商品等指定情報と、前記商品等のアフィリエイト報酬額または報酬率と、アフィリエイト広告の引用許否を示す第１引用許否情報とを受け付け、アフィリエイト広告識別情報に対応付けて前記商品等指定情報と前記アフィリエイト報酬額または報酬率と前記第１引用許否情報とをアフィリエイトデータベースに記憶させるアフィリエイト設定ステップ
（４）アフィリエイタのユーザ端末から、アフィリエイト広告を行う書込み記事を指定する記事指定情報と、前記アフィリエイト設定ステップで受け付けた商品等指定情報の中から選択された紹介商品等指定情報と、当該書込み記事が引用された場合にアフィリエイト広告の引用許否を示す第２引用許否情報とを受け付け、前記記事指定情報と前記紹介商品等指定情報と前記第２引用許否情報とを前記アフィリエイトデータベースに記憶させるアフィリエイト広告受付ステップ
（５）前記アフィリエイト広告受付ステップで受け付けた記事指定情報に対応するユーザ識別情報を特定し、当該ユーザ識別情報と前記アフィリエイト広告受付ステップで受け付けた前記紹介商品等指定情報とを含むアフィリエイト広告要素を生成し、前記記事指定情報に基いて前記記事データ記憶部に記憶している書込み記事を特定して当該書込み記事に当該アフィリエイト広告要素を設定する第１アフィリエイト広告要素生成ステップ
（６）階層構造において上位となる上位書込み記事を引用した、階層構造において下位となる下位書込み記事を受け付け、且つ当該上位書込み記事にアフィリエイト広告要素が設定されている場合、前記アフィリエイトデータベースに記憶する前記第１引用許否情報および前記第２引用許否情報を参照してアフィリエイト広告の引用が許可されているときには、前記記事データ記憶部から前記下位書込み記事のユーザ識別情報を特定し、当該下位書込み記事のユーザ識別情報と前記上位書込み記事のユーザ識別情報と前記上位書込み記事に設定されたアフィリエイト広告要素に含まれる紹介商品等指定情報とを含むアフィリエイト広告要素を生成し、前記下位書込み記事の記事指定情報に基いて前記記事データ記憶部に記憶している当該下位書込み記事を特定して当該下位書込み記事に当該アフィリエイト広告要素を設定する第２アフィリエイト広告要素生成ステップ
（７）１または２以上の前記書込み記事と、当該書込み記事に対応してアフィリエイト広告要素が存在する場合には当該書込み記事とともにアフィリエイト広告要素をユーザ端末に送信する記事画面送信ステップ
を備えてなる。
【発明の効果】
【００１７】
階層構造で管理される上位の書込み記事を引用して書込みを投稿すると、システム側で階層構造をトレースおよび分析して、引用した書込みに対してもアフィリエイト広告が設定される。引用する者が自らアフィリエイト広告の設定を行う必要がなく、アフィリエイト広告が設定されている書込みを引用して書込みを行うだけで、自動的にアフィリエイト広告が引用書込みにも設定されるので、ＣＧＭへの書込みがバイラル的に増加する。
【００１８】
商品等提供者の設定範囲内およびアフィリエイタの設定範囲内で引用書込みにアフィリエイト広告が設定されるので、予定している広告費を超えて広告費が拡大することを防ぐことができるとともに、成果報酬を人為的に獲得しようとする過剰な書込みの増幅を抑制することも可能となる。
【図面の簡単な説明】
【００１９】
【図１】図１は、アフィリエイト広告の引用システムのネットワーク構成を示す図である。
【図２】図２は、書込み記事の階層表示例を示す図である。
【図３】図３は、記事データ記憶部の例を示す図である。
【図４】図４は、アフィリエイトデータベースの例を示す図である。
【図５】図５は、アフィリエイト広告の引用システムの構成を示す図である。
【図６】図６は、アフィリエイタのユーザ端末からアフィリエイト広告設定を受け付ける処理フローを示す図である。
【図７】図７は、アフィリエイタのユーザ端末からアフィリエイト広告設定を受け付けた後における書込み記事の階層表示例を示す図である。
【図８】図８は、アフィリエイト広告設定を引用した書込みがあったとき、アフィリエイト広告設定の処理フローを示す図である。
【図９】図９は、アフィリエイト広告設定を引用した書込みがあった後における書込み記事の階層表示例を示す図である。
【図１０】図１０は、割合による記事別報酬額算出処理フローを示す図である。
【図１１】図１１は、計数による記事別報酬額算出処理フローを示す図である。
【発明を実施するための形態】
【００２０】
図１は、アフィリエイト広告の引用システムのネットワーク構成を示す図である。電子商取引サーバ１０１は、例えば、インターネットショッピングに係る仮想商店街を運営するサーバである。本実施形態では、電子商取引サーバ１０１は、ネットショップ運営サーバ１１０、掲示板サーバ１２０、アフィリエイトサーバ１３０を含んでいる。掲示板サーバ１２０やアフィリエイトサーバ１３０は、電子商取引サーバ１０１と独立して運営される場合もある。電子商取引サーバ１０１は、インターネット等のネットワーク１４０を介して、仮想店舗を出店している店舗端末１０２に接続されている。店舗端末１０２は、電子商取引サーバ１０１に商品やサービス（以下、「商品等」という。）を提供する者（以下、「商品等提供者」という。）が操作する端末である。
【００２１】
電子商取引サーバ１０１は、インターネット等のネットワーク１４０を介して、仮想店舗において、商品等を購入したいユーザのユーザ端末１０３に接続されている。電子商取引サーバ１０１は、インターネット等のネットワーク１４０を介して、例えば、仮想店舗の商品等について掲示板に書込みを行う記事書込み者のユーザ端末１０４に接続されている。さらに、電子商取引サーバ１０１は、インターネット等のネットワーク１４０を介して、仮想店舗の商品等についてアフィリエイト広告を行うアフィリエイタのユーザ端末１０５に接続されている。
【００２２】
店舗端末１０２は、仮想商店街に出店する商品等提供者の端末である。ネットショップ運営サーバ１１０は、店舗端末１０２によって作成された商品等の購入ページを記憶している。ネットショップ運営サーバ１１０は、商品等購入者のユーザ端末１０３からのアクセスがあると、商品等の購入ページをユーザ端末１０３に送信し、商品等の購入処理を行う。ユーザ端末１０３は、商品等の購入処理の後などにおいて、ブラウザに表示された電子商取引サーバ１０１の商品画面に含まれるクチコミ欄（書込み記事の例）に、商品やサービスの感想などを書込むことができる。
この場合、商品等購入者は記事書込み者である。
【００２３】
本実施形態では、電子商取引サーバ１０１は、掲示板サーバ１２０とアフィリエイトサーバ１３０とを含んでいる。掲示板サーバ１２０は、商品等購入者のユーザ端末１０３から書込み記事を受け付けるほか、商品等の購入ページを閲覧した者（商品等を購入していない者）のユーザ端末１０４や、商品等のアフィリエイタのユーザ端末１０５からも書込み記事を受け付ける。掲示板サーバ１２０は、商品等の購入ページや、他のＣＧＭの提供ページに、これらの書込み記事を提供する。後者のような一般による書込み記事の登録を投稿という。掲示板サーバ１２０は、ユーザ端末１０３，１０４，１０５から受け付けた記事データを記憶する記事データ記憶部１２４を有している。
【００２４】
他にも、掲示板サーバ１２０は、商品やサービスに関する書込み記事について、ネットショップ運営サーバ１１０とは独立して提供することができる。本実施形態では、電子商取引サーバ１０１においては、掲示板の画面は、ネットショップ運営サーバ１１０の商品等の購入ページにリンクを張られている。
【００２５】
掲示板サーバ１２０の掲示板への書込みに伴い報酬を支払う場合には、電子商取引サーバ１０１はアフィリエイト広告の引用システムの例となり、電子商取引サーバ１０１のクチコミの書込みに伴い報酬を支払う場合には、電子商取引サーバ１０１はアフィリエイト広告の引用システムの例となる。前者は商品やサービスの広告であり、後者は商品・サービス購入の勧誘に相当する。書込者へは、これらの広告や勧誘に対する成功報酬が支払われる。その額は、売り上げやアクセスの実績に応じて決定される。
【００２６】
ユーザ端末１０４から直接的に書込み記事を登録する方法の他に、ユーザ自らが作成したブログ記事をトラックバックすることにより登録する方法もある。電子商取引サーバ１０１のクチコミ欄、あるいは掲示板サーバ１２０の掲示板のいずれに対しても、トラックバックによるブログ記事の登録は有効である。その場合、電子商取引サーバ１０１や掲示板サーバ１２０は、特定の話題に関するブログの記事を集積するトラックバックセンターとしての機能を有することもある。
【００２７】
図２は、書込み記事の階層表示例を示す図である。掲示板サーバ１２０の記事データ記憶部１２４は、書込み記事とその階層構造を記憶する。書込み記事は、図２に示すように、従属関係を持った階層構造となっている。先に登録された記事に対して、後に反応して書き込んだ記事がその下位層に登録される。上位の記事に対する回答、意見、感想などの書込みが下位に表示される。例えば、記事＃０２は、記事＃０１に反応した書込みである。
【００２８】
図３は、記事データ記憶部１２４の例を示す図である。記事ＩＤに対応付けて、親記事ＩＤ、階層、書込日時、書込者コード、記事データ（記事内容）を対応付けて記憶している。記事ＩＤは、記事の識別情報であり、親記事ＩＤは、上位記事のＩＤ、つまり反応元の記事ＩＤである。書込者コードは、ユーザ端末１０３、１０４、１０５より記事を書き込む者の識別コードである。記事データは、書き込みの内容である。
【００２９】
本実施形態のアフィリエイト広告を実現するため、電子商取引サーバ１０１、特に、アフィリエイトサーバ１３０は、図４に示されるように、店舗端末１０２から、アフィリエイト広告の対象となる商品等の商品等ＩＤ及び商品等ＵＲＬの登録を受け付けることに加えて、報酬額（報酬率）、多数のアフィリエイタへ報酬を分配するための引用許否、引用する場合にはＮ次まで引用可能であることを示す引用深度、報酬を分配する場合の分配率の登録を受け付ける。アフィリエイトサーバ１３０のアフィリエイトデータベース１３２は、商品等ＩＤ、報酬額（報酬率）、引用可否、引用深度および分配率を記憶する。
【００３０】
ここで、報酬額（報酬率）とは、成果報酬を支払う場合の報酬額または報酬率である。図４の例では、商取引成立時の購買単価の率を示している。
【００３１】
引用許否とは、成果報酬を二人以上のアフィリエイタに支払うことを許可するのか否認するのかの区別をいう。ここで許可する場合のみ、引用深度の登録が認められる。
【００３２】
引用深度とは、成果報酬を二人以上のアフィリエイタに支払うことを許可する場合、何番目までの引用まで成果報酬の対象とするかを示す登録事項である。
【００３３】
分配率とは、二人以上のアフィリエイタに成果報酬を支払う場合において、２段目以降の引用者への成果報酬の配分をいう。例えば、「２次」「１：１」とは、１段目のアフィリエイタとそれを引用した２段目のアフィリエイタに対して、それぞれ設定した報酬額を支払うことを示している。「Ｎ次」＋「Σ１」とは、引用したアフィリエイタには人数に制限がなく支払うが、報酬額の合計は設定した報酬額に一致し、Ｎ人で分配することを示している。「Ｎ次」＋「Σ１：ｆｒｅｅ」とは、引用したアフィリエイタには人数に制限がなく支払うが、報酬額の合計は設定した報酬額に一致し、アフィリエイトの設定によってＮ人以内であれば何人でも分配できることを示している。
【００３４】
本発明では、引用者にも成果報酬を発生させるが、原資を提供する商品等提供者の設定範囲内で成果報酬の上限を定められる構成となっており、後にアフィリエイタが引用者への成果報酬を許可する場合においても、商品等提供者設定範囲が制限を加えるようになっている。
【００３５】
図５は、アフィリエイト広告の引用システム（電子商取引サーバ１０１）のうち、主として掲示板サーバ１２０およびアフィリエイトサーバ１３０の構成を詳細に示す図である。ネットショップ運営サーバ１１０の詳細は省略している。
【００３６】
掲示板サーバ１２０は、記事書込み部１２２、記事データ記憶部１２４、記事画面送信部１２６を有している。
【００３７】
記事書込み部１２２は、記事書込み者がユーザ端末１０３、１０４、１０５から書込み記事を書き込むと、ユーザ端末から書込者コードと記事データを受信する。記事書込み者は予めユーザ登録しておくことが好ましいが、記事書込み部１２２は、クッキーによって記事書込み者を特定することもできる。記事書込み部１２２は、書込み記事があったときに書込日時を設定する。親記事に従属する書込みを行う場合、記事書込み部１２２は、親記事ＩＤも受信する。
【００３８】
記事データ記憶部１２４は、記事書込み部１２２で受け付けた記事データに記事ＩＤを設定して記憶する。図３に示されるように、記事データ記憶部１２２は、記事ＩＤに関連付けて、記事データのほかに、親記事ＩＤ、階層構造、書込日時、書込者コードを記憶する。
【００３９】
記事画面送信部１２６は、掲示板を閲覧するユーザのユーザ端末からリクエストがあると、記事データ記憶部１２４に記憶するデータを送信する。記事画面送信部１２６はクチコミ欄を含まない商品画面を送信し、掲示板サーバ１２０の掲示板（記事画面の例）から商品画面へのリンクのみを活用する形態でも構わない。その場合には、電子商取引サーバ１０１側で、当該掲示板を介したアクセスであることを判定できるように構成されている。例えば、バナー、テキストリンク等のアフィリエイトタグのクリックすることにより、当該掲示板からのリンクであることを特定する情報を、商品画面のＵＲＬに付加して送信するように設定されている。
【００４０】
記事画面は、電子商取引サーバ１０１の商品画面に含まれるクチコミ欄の場合であっても、電子商取引サーバ１０１の商品画面にリンクする掲示板サーバ１２０の掲示板の場合であっても、各記事の書込者コード、書込日時、及び記事データを、図２に示したように階層構造に従って表示する。但し、階層関係を把握できる表示形式であれば、図２のフォームに限定しない。
【００４１】
電子商取引サーバ１０１は、（商品購入、商品資料請求の申込み、会員登録の申込みなど）掲示板サーバ１２０の掲示板を介して当該商品画面にアクセスした場合、あるいは更にそのアクセスにより当該商品を売り上げた場合などに、書込者に対してアフェリエイト報酬が割り当てられる。前者をクリック報酬と言い、後者を成果報酬と言うこともある。商品に代えて、サービスを紹介し、販売することもある。その場合も、商品と同様に報酬が発生する。また、電子商取引サーバ１０１のクチコミの書込みに対しても勧誘に伴う報酬を支払う。
【００４２】
アフィリエイトサーバ１３０は、アフィリエイト広告受付部１３２、第１アフィリエイト広告要素生成部１３４、第２アフィリエイト広告要素生成部１３５、アフィリエイトデータベース１３６、報酬額算出部１３８、報酬額テーブル１３９を有している。
【００４３】
アフィリエイト広告受付部１３２は、アフィリエイタがユーザ端末１０５から、書込み記事を指定する記事指定情報と、アフィリエイト広告を許可する商品等の商品等ＩＤと、アフィリエイト引用許否情報、引用深度および分配率を受け付ける。掲示板へのログインが完了している場合、アフィリエイト広告受付部は、データベースを参照して自動的に書込者コードを取得する。アフィリエイト広告受付部１３２は、アフィリエイトデータベース１３６を参照して、多数のアフィリエイタへの引用許否を判定する。
【００４４】
アフィリエイト広告受付部１３２は、書込み記事にアフィリエイト広告が設定された場合、アフィリエイトデータベース１３６の商品等ＩＤに対応付けてアフィリエイトＩＤを設定し、同じにレコードに、アフィリエイタＩＤ、書込み記事ＩＤ、引用許否、分配率を記憶する。
【００４５】
引用許否とは、成果報酬を二人以上のアフィリエイタに支払うことを許可するのか否認するのかの区別をいう。ここで許可する場合のみ、引用深度の登録が認められる。ただし、商品等提供者設定に相違する設定を行うことはできず、商品等提供者設定の引用許否が「不可」に設定されている場合、アフィリエイタの引用許否情報の「許可」は無効化される。
【００４６】
引用深度とは、成果報酬を二人以上のアフィリエイタに支払うことを許可する場合、何番目までの引用まで成果報酬の対象とするかを示す登録事項である。商品等提供者設定の引用深度が設定されている場合、アフィリエイタの引用深度情報は無効化される。商品等提供者設定の引用深度が設定されておらず、アフィリエイタが引用深度と分配率を自由に設定できる場合、アフィリエイタ設定の引用深度が登録される。
【００４７】
分配率とは、二人以上のアフィリエイタに成果報酬を支払う場合で、且つ、商品等提供者設定の引用深度が設定されておらず、アフィリエイタが引用深度と分配率を自由に設定できる場合、２段目以降の引用者への成果報酬の配分の比率をいう。図４のＡＦ００５（ＡＵ１０５）のレコードでは、アフィリエイタ設定の分配率が１：１：１となっており、３次の引用者まで均等に成果報酬が分配される。
【００４８】
第１アフィリエイト広告要素生成部１３４は、アフィリエイト広告受付部１３２がアフィリエイト広告の設定を受け付けた後、アフィリエイトデータベース１３６を参照して、商品等ＩＤと書込者コードを含むアフィリエイト広告を生成する。アフィリエイト広告は、書込み記事内のテキストにリンクを設定することや、追加画像にリンクを設定することで生成される。アフィリエイトリンクは、商品等購入者のユーザ端末１０３にクッキーを発行するプログラムである。クッキーに書き込まれるデータは、クッキーの有効期限のほか、商品等ＩＤ及び書込者コードと、必要に応じて、広告ＩＤである。
【００４９】
第２アフィリエイト広告要素生成部１３５は、アフィリエイト広告受付部１３２がアフィリエイト広告の設定を受け付けた後、あるいは、引用する書込み記事の書込み記事ＩＤを受け付けた後、書込み記事ＩＤを参照して、商品等ＩＤと書込者コードを含むアフィリエイト広告を生成する。第２アフィリエイト広告要素生成部１３５は、書込み記事ＩＤを受け付けると、記事データ記憶部１２４を参照し、その書込み記事が階層構造の下位層の書込み記事であるか否かを判定する。第２アフィリエイト広告要素生成部１３５は、アフィリエイトデータベース１３６を参照し、親記事にアフィリエイト広告が設定されているか否か、親記事のアフィリエイト広告についてＮ次階層の引用許可があるか否かを判定する。
【００５０】
なお、親記事の下位層の書込み記事においても、最初にアフィリエイト広告が設定されている場合もある。第２アフィリエイト広告要素生成部１３５は、これらの場合も同様にして、階層構造、広告設定の有無、引用許否を判定する。
【００５１】
第２アフィリエイト広告要素生成部１３５が生成するアフィリエイト広告は、第１アフィリエイト広告要素生成部１３４が生成するアフィリエイト広告と同様に、書込み記事内のテキストにリンクを設定することや、追加画像にリンクを設定することで生成される。アフィリエイトリンクは、商品等購入者のユーザ端末１０３にクッキーを発行するプログラムである。クッキーに書き込まれるデータは、クッキーの有効期限のほか、商品等ＩＤ及び書込者コードと、必要に応じて、広告ＩＤである。
【００５２】
ここで、好適実施形態について説明する。第１のアフィリエイト広告要素生成部１３４は書込者コード（ユーザ識別情報）を引数で生成し、アフィリエイト広告要素が存在する書込み記事を引用して書込みが行われた場合、第２のアフィリエイト広告要素生成部１３５が書込者コード（ユーザ識別情報）を更新して引数で生成することが好ましい。例えば、第１のアフィリエイト広告要素生成部１３４が生成したアフィリエイト広告の書込者コード：ＵＩＤを
ＵＩＤ＝ＡＵ１００+０００
と設定しておき、第２のアフィリエイト広告要素生成部１３５がアフィリエイト広告を引用した場合に、アフィリエイト広告の書込者コード：ＵＩＤを
ＵＩＤ＝ＡＵ１００+２００
と更新する。「１００」「２００」は書込者コードに対応している。
【００５３】
上記例では、２次引用において書込者コードの引数としているが、さらに、Ｎ次引用の場合にも同様に利用することができる。また、報酬額や報酬率もコード化してＵＩＤに記述することができる。
【００５４】
このように、クッキーに記述する書込者コードを更新して、ユーザ端末１０３のブラウザに書込むことにより、引用形式のアフィリエイト広告の分配を容易に実現することができる。また、クッキー情報に基いてアフィリエイト広告の成果報酬を書込者コードから認識するこができるので、アフィリエイトサーバ１３０で成果報酬の支払先と支払金額をクッキー情報から識別することが容易となる。
【００５５】
また、第２アフィリエイト広告要素生成部１３５は、記事引用の記事書込み者が、アフィリエイト広告を意識していなくても、また、アフィリエイト広告を設定していなくても、引用する記事においてもアフィリエイト報酬を許可されている場合には、所定の分配率で成果報酬を受け取ることができる。
【００５６】
電子商取引サーバ１０１のアフィリエイトサーバ１３０では、記事の階層毎に店舗設定範囲およびアフィリエイタ設定範囲によって基準が設定されている。報酬額（報酬率）は、成果報酬などの計算に用いられ、売上高や売上商品の定価合計などの売上に係る所定金額に乗じることにより報酬を求める基準値である。つまり、掲示板からのアクセスによる売上に係る金額、クチコミ欄の表示に伴う売上に係る金額が報酬のベースとなる。
【００５７】
報酬単価は、掲示板から商品画面へのリンクによるアクセス回数（クリック回数）やクチコミ欄のページビューや訪問者数などの所定カウント数に乗じることにより報酬を求める基準値である。この例では、上方の階層の報酬基準をより高く設定しているが、逆に下方の階層の報酬基準をより高く設定することも有効である。
【００５８】
次に、アフィリエイト広告の引用システムの特徴的部分について、図６を参照してその処理を説明する。
【００５９】
まず、前提として、アフィリエイトサーバ１３０は、商品等提供者の端末から、商品等の指定情報と報酬額（報酬率）を受け付ける。さらに、アフィリエイトサーバ１３０は、書き込み記事の引用時にも成果報酬を支払うことの許否情報、引用深度および分配率を商品等提供者の端末から受け付けている。
【００６０】
次に、アフィリエイトサーバ１３０は、アフィリエイタのユーザ端末１０５から、書込み記事を指定する記事指定情報と、アフィリエイト広告を許可する商品等の商品等ＩＤとを受け付ける（Ｓ６０１）。さらに、アフィリエイトサーバ１３０は、アフィリエイタのユーザ端末１０５から、アフィリエイト引用許否情報、引用深度および分配率を受け付ける（Ｓ６０２）。アフィリエイト広告受付部１３２は、アフィリエイトデータベース１３６を参照して、多数のアフィリエイタへの引用許否を判定する（Ｓ６０３）。商品等提供者設定で引用が許可されていない場合、引用許否情報、引用深度、分配率は無効化（Ｓ６０４）され、初代のアフィリエイタにのみアフィリエイト広告が設定されて処理は終了する。商品等提供者設定で引用が許可されている場合、アフィリエイトデータベース１３６に引用許可情報が設定登録される（Ｓ６０５）。
【００６１】
次に、アフィリエイト広告受付部１３２は、アフィリエイトデータベース１３６を参照して、商品等提供者が設定した引用深度とアフィリエイタが設定した引用深度を対比判定する（Ｓ６０６）。引用深度が初期設定範囲内である場合（Ｓ６０６でＹＥＳ）、引用深度を更新して（Ｓ６０７）、引用深度を設定する（Ｓ６０９）。引用深度が初期設定範囲内でない場合（Ｓ６０６でＮＯ）、引用深度を更新せず（Ｓ６０８）、引用深度を設定する（Ｓ６０９）。
【００６２】
次に、アフィリエイト広告受付部１３２は、アフィリエイトデータベース１３６を参照して、商品等提供者が設定した分配率とアフィリエイタが設定した分配率を対比判定する（Ｓ６１０）。分配率が初期設定範囲内である場合（Ｓ６１０でＹＥＳ）、分配率を更新して（Ｓ６１１）、分配率を設定する（Ｓ６１３）。分配率が初期設定範囲内でない場合（Ｓ６０６でＮＯ）、分配率を更新せず（Ｓ６１２）、分配率を設定する（Ｓ６１３）。
【００６３】
以上の処理を行うことにより、書込み記事が引用された場合に、商品等提供者設定の範囲内で引用許否、引用深度および分配率を更新することができる。そして、アフィリエイト広告要素を生成して、書込み記事にアフィリエイト広告を設定して処理が終了する（Ｓ６１４）。
【００６４】
図７は、初代アフィリエイタによってアフィリエイト広告が設定された書込み記事について、書込み記事を閲覧する者に送信されたときにユーザ端末で表示される画面例である。書込み記事の「○○ヨーグルト」にリンクが設定され、さらに、画像にリンクが設定される。閲覧ユーザがユーザ端末を操作して、いずれかのリンクをクリックすると、ユーザ端末のブラウザにクッキーが記述される。クッキーの記述とは、アフィリエイト広告識別情報、紹介商品等指定情報（商品等ＩＤ）およびユーザ識別情報の引数である。ここで、ユーザ識別情報の引数とは、初代アフィリエイタの識別情報に対応する変数である。
【００６５】
次に、書込み記事を閲覧した他のユーザが、ユーザ端末１０４（図１参照）を操作して、図７において、「記事＃０２：味の方もスッキリ、サッパリです」と、＃０１に従属する書込みがなされた場合について図８を参照して処理を説明する。
【００６６】
ユーザ端末１０４から＃１を引用した書込み記事を受け付けると、記事ＩＤを設定し（Ｓ８０１）、図３に示されるように、記事データ記憶部１２４に親記事ＩＤなどを記憶する（Ｓ８０２）。次に、アフィリエイトデータベース１３６を参照して、親記事にアフィリエイト広告が設定されているか否かを判定する（Ｓ８０３）。親記事にアフィリエイト広告が設定されていない場合（Ｓ８０３でＮＯ）、処理は終了する。
【００６７】
親記事にアフィリエイト広告が設定されている場合（Ｓ８０３でＹＥＳ）、アフィリエイトデータベース１３６を参照して引用許否を判定する（Ｓ８０４）。親記事からアフィリエイト広告の引用が許可されていない場合（Ｓ８０４でＮＯ）、処理は終了する。
【００６８】
親記事からアフィリエイト広告の引用が許可されている場合（Ｓ８０４でＹＥＳ）、アフィリエイトデータベース１３６を参照して引用深度内であるか否かを判定する（Ｓ８０５）。引用深度内でない場合（Ｓ８０５でＮＯ）、処理は終了する。
【００６９】
引用深度内である場合（Ｓ８０５でＹＥＳ）、アフィリエイト広告要素を生成して、書込み記事にアフィリエイト広告を設定して処理が終了する（Ｓ８０６）。
【００７０】
なお、図示してはいないが、親記事と引用した書込み記事との関連性を判定した上で、アフィリエイト広告要素を生成させることが好ましい。図９の例では、記事＃０１と記事＃０２について、例えばテキストの部分一致を判定し、「スッキリ」の文字部分が部分一致していることを条件にアフィリエイト広告要素を生成している。こうすることにより、書込み記事の内容に関連性がある場合のみ、アフィリエイト広告要素を生成することになる。＃０２の書込みに対する＃０３や＃０６が部分一致する場合においても、アフィリエイト広告要素を生成させるか否かの判定が行われる。全部一致としなかったのは、書込み記事を複製して引用することによって成果報酬を不当に得ようとする行為を防止するためである。
【００７１】
図９は、初代アフィリエイタによってアフィリエイト広告が設定され、他のユーザによって書込み記事が引用された書込み記事について、書込み記事を閲覧する者に送信されたときにユーザ端末で表示される画面例である。書込み記事に添付される画像にリンクが設定される。閲覧ユーザがユーザ端末を操作して、いずれかのリンクをクリックすると、ユーザ端末のブラウザにクッキーが記述される。クッキーの記述とは、アフィリエイト広告識別情報、紹介商品等指定情報（商品等ＩＤ）および初代ユーザおよび引用ユーザのユーザ識別情報の引数である。
【００７２】
次に、上述の例に従って記事毎の報酬額を求める処理について説明する。図１０は、割合による記事別報酬額算出処理フローを示す図である。記事毎に以下の処理を繰り返す（Ｓ１００１）。まず、記事データ記憶部１２４から当該記事の階層を特定して（Ｓ１００２）、アフィリエイトデータベース１３６から当該階層の報酬額と分配率を読み取る（Ｓ１００３）。そして、売上高などの所定金額に報酬額と分配率を乗じて、報酬額算定部１３８によって記事別報酬額を算出する（Ｓ１００４）。当該記事のＩＤと書込者コードと対応付けて、割合による記事別報酬額を報酬額テーブル１３９に書き込み（Ｓ１００５）、これをすべての記事について処理する（Ｓ１００６）。
【００７３】
更に、各記事の割合による記事別報酬額を合計して、割合による報酬総額を求める。加えて、各記事の計数による記事別報酬額を合計して、計数による報酬総額を求める。割合による報酬総額と、計数による報酬総額も報酬額テーブル１３９に記憶させる。
【００７４】
図１１は、報酬額テーブルの例を示す図である。割合による報酬総額と、計数による報酬総額の他、記事毎に、記事ＩＤと書込者コードに対応付けて、割合による記事別報酬額と計数による記事別報酬額を記憶している。
【００７５】
階層構造の書込み記事の管理は、クチコミあるいは掲示板に関わらず、他の形式であっても構わない。また、記事の書き込みは、直接の投稿やトラックバックに関わらず、他の登録方法やリンク方法であっても構わない。
【００７６】
アフィリエイト広告の引用システム（電子商取引サーバ１０１、掲示板サーバ１０４）は、コンピュータであり、各要素はプログラムにより処理を実行することができる。また、プログラムを記憶媒体に記憶させ、記憶媒体からコンピュータに読み取られるようにすることができる。
【符号の説明】
【００７７】
１０１    電子商取引サーバ（アフィリエイト広告の引用システム）
１０２    店舗端末
１０３    商品等購入者のユーザ端末
１０４    記事書込み者のユーザ端末
１０５    アフィリエイタのユーザ端末
１１０    ネットショップ運営サーバ
１２０    掲示板サーバ
１３０    アフィリエイトサーバ
【図１】
0005622526.tif 000002
【図２】
0005622526.tif 000003
【図３】
0005622526.tif 000004
【図４】
0005622526.tif 000005
【図５】
0005622526.tif 000006
【図６】
0005622526.tif 000007
【図７】
0005622526.tif 000008
【図８】
0005622526.tif 000009
【図９】
0005622526.tif 000010
【図１０】
0005622526.tif 000011
【図１１】
0005622526.tif 000012